(57)【要約】【課題】本発明の入力装置は、斜め方向の入力が容易に行えて操作に優れた入力装置を提供すること。【解決手段】本発明の入力装置１は、任意の方向に移動操作可能な移動部材を有し、回動部材３の回動操作で第１の入力を行って移動部材である表示点１１ａの移動方向を決めることができる第１の入力部と、第２の入力により表示点１１ａの移動量を決めることができる第２の入力部６とがそれぞれ独立して設けられている。【選択図】        図１
2004334291.tif 000002
【特許請求の範囲】
【請求項１】
任意の方向に移動操作可能な移動部材を備え、第１の入力により前記移動部材の移動方向を決めることができる第１の入力部と、第２の入力により前記移動部材の移動量を決めることができる第２の入力部とがそれぞれ独立して設けられていることを特徴とする入力装置。
【請求項２】
前記移動部材は表示部上に表示された表示点からなり、前記第１の入力部で前記表示点の移動方向を決めると共に前記第２の入力部で前記表示点の移動量を決めるようにしたことを特徴とする請求項１記載の入力装置。
【請求項３】
前記第１の入力部は、水平方向に回動自在の回動部材に配設され、この回動部材の回動角度に対応して第１の出力信号を出力可能とし、前記第２の入力部は、回転自在の回転部材に配設され、この回転部材の回転に連動して、その回転量を第２の出力信号として出力可能としことを特徴とする請求項１または２記載の入力装置。
【請求項４】
前記回転部材は、前記回動部材に搭載されて前記回動部材の前記回動操作に伴って回動可能としたことを特徴とする請求項３記載の入力装置。
【請求項５】
前記回転部材は、前記回動部材の回動方向と直交する方向の垂直方向に押し込み操作可能に前記回動部材に保持され、前記押し込み操作で第３の入力が可能な第３の入力部を前記回動部材に配設したことを特徴とする請求項４記載の入力装置。
【請求項６】
前記回動部材は、形状がリング状に形成されて内部に中空部を有し、この中空部に前記回動部材と独立して前記回転部材を配設したことを特徴とする請求項３記載の入力装置。
【請求項７】
回転自在の回転部材を有し、この回転部材は、回転軸芯方向にスライド自在に配設され、前記回転部材のスライド量に対応して前記第１の入力部が第１の出力信号を出力可能とすると共に、前記回転部材の回転に連動して前記第２の入力部が第２の出力信号を出力可能としたことを特徴とする請求項１または２記載の入力装置。
【発明の詳細な説明】
【０００１】
【発明の属する技術分野】
本発明は回転自在の操作部材を備えた入力装置に係わり、特に、電子機器に動作制御の情報を入力可能な入力装置に関する。
【０００２】
【従来の技術】
従来の入力装置を、例えば図１７に示すような、携帯電話機５１に組み込んだもので説明すると、携帯電話機５１は、所定の大きさの液晶ディスプレー等からなる表示部５２と、この表示部５２に表示されたカーソルからなる表示点（図示せず）を上下左右方向および斜め方向に移動操作可能な方向キーからなる入力装置５３と、文字入力等が可能な入力キー５４とからなっている。
【０００３】
前記従来の入力装置５３は、図１６示すように、外形が略円形状の方向キー５５が配設され、この方向キー５５の下部には、弾性を有するゴム等からなり内部が空洞状のキーベース５６が配設されている。
前記キーベース５６は、空洞内部の天井部に、押圧部５６ａが４方向および中央部に５個それぞれ突出形成されている。
また、それぞれの押圧部５６ａの下部のプリント基板５７上には、押圧部５６ａと対向する位置に固定接点（図示せず）が形成され、この固定接点と所定の隙間を有する上方には、ドーム状に湾曲形成されて反転可能な可動接点５８がそれぞれ配設されている。
【０００４】
このような従来の入力装置５３は、方向キー５５の外周部の上下左右のいずれかを選択することで表示部５２に表示されている表示点の移動方向が選択され、この移動方向が選択された部分の方向キー５５を、所定回数押圧操作することで、押圧され毎に可動接点５８が反転して固定接点と接触して導通し、表示部５２に表示されている表示点を、上下左右のいずれかの所望する方向に移動操作することができる。
【０００５】
【特許文献１】
特開２００１−１０１９５６号公報
【０００６】
【発明が解決しようとする課題】
しかし、前述したような従来の入力装置５３は、表示点を右斜め上方に移動させる入力操作の場合は、方向キー５５の外周部の上部側を押圧して表示点を一旦上方に所定量移動させ、その後方向キー５５の外周部の右側を押圧して表示点を左右方向に移動させて、斜め方向の入力を行わなければならなかった。
そのために、表示部５２に表示された表示点を斜め方向に移動させる場合の入力装置５３の操作性が悪く入力操作に時間が掛かる問題があった。
本発明は、前述したしたような課題を解決して、斜め方向の入力が容易に行えて操作性に優れた入力装置を提供することを目的とする。
【０００７】
【課題を解決するための手段】
前記課題を解決するための第１の手段として本発明の入力装置は、任意の方向に移動操作可能な移動部材を備え、第１の入力により前記移動部材の移動方向を決めることができる第１の入力部と、第２の入力により前記移動部材の移動量を決めることができる第２の入力部とがそれぞれ独立して設けられていることを特徴とする。
【０００８】
また、前記課題を解決するための第２の手段として、前記移動部材は表示部上に表示された表示点からなり、前記第１の入力部で前記表示点の移動方向を決めると共に前記第２の入力部で前記表示点の移動量を決めるようにしたことを特徴とする。
【０００９】
また、前記課題を解決するための第３の手段として、前記第１の入力部は、水平方向に回動自在の回動部材に配設され、この回動部材の回動角度に対応して第１の出力信号を出力可能とし、前記第２の入力部は、回転自在の回転部材に配設され、この回転部材の回転に連動して、その回転量を第２の出力信号として出力可能としことを特徴とする。
【００１０】
また、前記課題を解決するための第４の手段として、前記回転部材は、前記回動部材に搭載されて前記回動部材の前記回動操作に伴って回動可能としたことを特徴とする。
【００１１】
また、前記課題を解決するための第５の手段として、前記回転部材は、前記回動部材の回動方向と直交する方向の垂直方向に押し込み操作可能に前記回動部材に保持され、前記押し込み操作で第３の入力が可能な第３の入力部を前記回動部材に配設したことを特徴とする。
【００１２】
また、前記課題を解決するための第６の手段として、前記回動部材は、形状がリング状に形成されて内部に中空部を有し、この中空部に前記回動部材と独立して前記回転部材を配設したことを特徴とする。
【００１３】
また、前記課題を解決するための第７の手段として、回転自在の回転部材を有し、この回転部材は、回転軸芯方向にスライド自在に配設され、前記回転部材のスライド量に対応して前記第１の入力部が第１の出力信号を出力可能とすると共に、前記回転部材の回転に連動して前記第２の入力部が第２の出力信号を出力可能としたことを特徴とする。
【００１４】
【発明の実施の形態】
以下、本発明の入力装置を図１〜図４に基づいて説明する。図１は本発明の第１の実施の形態の入力装置の上面図であり、図２は図１の要部断面図であり、図３は図１の要部断面図あり、図４、図５は発明に係わる第１入力部材を説明する図であり、図６は本発明の入力装置の操作を説明する表示装置の概略図であり、図７は本発明の第２の実施の形態の入力装置の上面図であり、図８は図７の８−８断面図あり、図９〜図１１は本発明の第２の実施の形態に係わる第２の入力部を説明する図であり、図１２は本発明の第３の実施の形態の入力装置の上面図であり、図１３は図９の正面図であり、図１４は図９の左側面図であり、図１５は図９の斜視図である。
【００１５】
まず、本発明の第１に実施の形態の入力装置１は、図１〜図３に示すように、樹脂材料からなるケース２が外周部に配設されている。このケース２は、外形が略円形状で下方が開放され、内部が空洞状に形成されている。
前記ケース２は、図１に示す平面図において、上部壁２ａの中央部に円形状で所定の大きさの開放部２ｂが形成され、この開放部２ｂからは、回動部材３の一部が露出して配設されている。
前記回動部材３は、外形が円形状に形成され、図２に示すように、下方が開放された横長状のローラ保持溝３ａが内部に形成され、このローラ保持部３ａは、上部に開口部３ｂが形成されて上方が開放されている。
【００１６】
前記回動部材３は、外周側につば部３ｃが突出形成され、このつば部３ｃの外周部に、複数の凹凸状のカム山３ｄが形成されている。そして、つば部３ｃが、図２に示すように、後述する基台８の段差部８ｄに支持されている。
また、開口部３ｃの図示左右の両端部には、回動部材３の表面が部分的に凹凸状の滑り止め部からなる回動操作部３ｅ、３ｅが形成されて、回動操作部３ｅに指等で操作力を加えると、回動部材３が水平方向である矢印Ａの時計回り方向、あるいは矢印Ｂの反時計回り方向に回動自在になっている。
前記左右の回動操作部３ｅ、３ｅの下部には、ローラ保持溝３ａが横長状に形成され、このローラ保持溝３ａに、後述する回転部材５を回転自在に支持可能になっている。
また、回転操作部３ｅと回転部材５の高さは、ほぼ同じ高さになるように形成されているので、操作者が指等で量部材に滑らせて移動操作しやすくなっている。
【００１７】
また、回動部材３は、下部に所定厚さの絶縁基板からなるコード板４が取り付けられて、ローラ保持溝３ａの開放された下方が蓋閉されている。
このコード板４には、図示を省略するが、同心円状に形成された各トラックに複数の異なる形状のパターンからなる導電パターンが印刷等で形成され、この導電パターンに後述する基台８に配設した複数の摺動子９が弾接されて、回転角度を２ｎ    のコードで  絶対的な数値としてパラレルで出力する所諸アブソリュート形エンコーダと呼ばれる回転型パルススイッチからなる第１の入力部となっている。
【００１８】
そして、回動部材３を後述する回転部材５の回転軸芯と平行な水平方向である矢印Ａ、Ｂ方向に回動操作することにより、この回動角度に対応して摺動子９がコード板４に形成した導電パターン（図示せず）の各トラックに摺接する。
このことにより、第１の入力部から複数の矩形波からなり分解能が大きな第１の出力信号が出力され、この第１の出力信号を制御部（図示せず）が読みとることにより、回動部材３の回動角度が検出可能になっている。
【００１９】
そして、回動部材３の回動角度が検出されると、この回動角度に対応して第１の入力が行われて、後述する表示部１１に表示される移動部材である表示点１１ａの移動方向を決めることができるようになっている。
また、第１の出力信号は、常にゼロ位置を座標原点とした回動角度がデジタルで出力されるようになっている。
尚、コード板４は、２進数コード２ｎ  で表現されるバイナリコードのものであるが、番地の切り替わり時、１ビットのみしか変化しないグレイコードを用いた公知のロータリエンコーダで構成しても良い。
また、第１の入力部を、光学式や磁気式等の非接触回転型パルススイッチで形成したものでも良い。
【００２０】
また、回動部材３の開口部３ｃからは、回転部材５の回転操作部５ａが露出している。前記回転部材５は、図２に示すように、ローラ状の回転操作部５ａが開口部３ｂから露出して配設されている。
前記回転操作部５ａは、指等による操作性を良くするために、外周部がローレット状に形成されている。
また、回転部材５には、図示右側に第１回転軸５ｂが突出形成され、図示左側に第２回転軸５ｃが突出形成されている。また、第１、第２回転軸５ｂ、５ｃは、回動部材３の回動操作部３ｅ、３ｅ下部のローラ保持溝３ａ内に配置されて、矢印Ｃ、Ｄ方向に回転自在になっている。
【００２１】
また、回転部材５下部のコード板４の図示右側には、第１回転軸５ｂの回転変位量に応じてパルス列を出力可能な所諸インクリメンタル形エンコ−ダからなる第２の入力部６が支持され、この第２の入力部６は、図５に示す後述する端子６ｉ、６ｊ、６ｋがコード板４の内周部に設けられた全周導電パターンと接続された状態で取付可能になっている。
前記回転部材５は、第１回転軸５ｂが第２の入力部６に支持され、第２回転軸５ｃが回転支持部である第３の入力部７に支持されて回動自在になっている。
【００２２】
前記インクリメンタリ形エンコ−ダからなる第２の入力部６は、図４、図５に示すように、側面にコードパターン６ｂおよび共通パターン６ｃを形成しケースに回転可能に保持された可動体６ａと、この可動体６ａのコードパターン６ｂと摺接する一対の摺動子６ｄと、共通パターン６ｃと摺接する摺動子６ｅを設けた基板６ｆと、可動体６ａに設けたカム山６ｇに係脱する係合部材６ｈと、外部端子６ｉ、６ｊ、６ｋとで構成されている。
また、可動体６ａには、六角孔６ｍが貫通形成されており、この六角孔６ｍ内に、これよりも外形が小さい六角柱状に形成された第１回転軸５ｂが挿通されて、第１回転軸５ｂの回転に従動して回転可能に支持されている。
【００２３】
そして、摺動子６ｅを共通パターン６ｃに常時弾接させると共に、一対の摺動子６ｄをコードパターン６ｂに摺接させることにより、回転部材５の回転に連動して摺動子６ｄが位相差を持ってコードパターン６ｂに接離して所定のパルス数からなる第１の出力信号（図示せず）が出力されるようになっている。
そして、出力されるパルス数を累積加算することにより、回転部材５の回転量が検出されると共に、コードパターン６ｂの位相差によって、回転方向を検出することが可能になっている。
【００２４】
また、回転部材５の下部のコード板４の図示左側には、図示を省略するが、内部に固定接点と可動接点とを備えた自己復帰可能な押し釦スイッチからなる第３の入力部７が支持され、その出力端子（図示せず）がコード板４の内周側に設けられた全周導電パターン部に接続された状態で取付可能になっている。
そして、回転部材５は、第２の回転軸５ｃが第３の入力部７の押し釦上に支持されて回転自在であると共に、回動部材３の矢印Ａ、Ｂ方向の回動方向と直交する垂直方向の図示下方側に押し込み操作可能になっている。
【００２５】
前記第３の入力部７の操作は、回転部材５の回転操作部５ａを下方側に押し込み操作すると、回転部材５は、第２の入力部６に支持された第１回転軸５ｂを支点として第２回転軸５ｃ側が下方に降下して、押し釦スイッチからなる第３の入力部７が入力されてスイッチ回路が切り換わり、内部の可動接点（図示せず）の反転によりタクティールフィーリングを生じるようになっている。
また、押し込みを解除すると、反転した可動接点の弾性力で押し釦スイッチが自己復帰することにより第２回転軸５ｃが上昇して初期状態に自動復帰するようになっている。
尚、第１回転軸５ｂと可動体６ａの係合部を六角柱とこれよりも若干大きな六角孔とで構成したので、回転伝達を確実に行える上、押し釦スイッチの押圧時に、可動体６ａがこじられて傾くことを防止できる。
【００２６】
また、回動部材３を回動自在に支持する基台８は、樹脂材料からなり、外形が円形状をなして、内部が空洞状に形成され、この空洞状の底部が底壁８ａで遮蔽されて円形状の第１中空部８ｂが形成されている。
前記第１中空部８ｂの上部に第１中空部８ｂより内周径が大きく形成された第２中空部８ｃが形成されている。
前記第２中空部８ｃは、第１中空部８ｂとの境目に階段状の段差部８ｄが形成されている。
【００２７】
また、底壁８ａには、矩形状で所定深さで彫り込みされた接点収納部８ｅが形成され、この接点収納部８ｅには、底壁８ａにインサート成形等で埋設されて、それぞれが絶縁された複数の摺動子９が斜め上方に延出形成されている。
前記複数の摺動子９は、底壁８ａの底面あるいは外周側面から外部端子（図示せず）が引き出されて、第１、第２、第３の入力部から出力されるそれぞれの信号が各々外部回路に接続可能になっている。
また、基台８の上面８ｆの一部が所定寸法彫り込みされた、バネ収納部８ｇが形成され、このバネ収納部８ｇに図示を省略したクリック発生手段の一部が位置するようになっている。
【００２８】
そして、前記クリック発生手段が、回動部材３のつば部３ｃの外周部に形成した凹凸状のカム山（図示せず）に係合することにより、カム山にクリック発生手段が係脱して操作者がクリック感を感じるようになっている。
また、基台８の第１、第２中空部８ｂ、８ｃに、回転部材５を取り付けた回動部材３を収納すると、コード板４が複数の摺動子９で上方に弾性付勢されて回動部材３が底壁８ａから浮き上がった状態になる。
【００２９】
この状態の基台８の上方からケース２をかぶせて、ケース２と基台８とを、例えば溶着等で固着すると、開口部３ｂから回転部材５の回転操作部５ａが露出して回転操作可能となると共に、つば部３ａが段差部８ｄに位置して、回動部材３が矢印Ａ、Ｂの面方向に回動操作可能となる。
また、複数の摺動子９は、コード板４に押厚されて接点収納部８ｅ内に沈み込むと共に、先端部の接点部がコード板４の複数の導電パターンに弾接して摺接可能になっている。
このような本発明の第１の実施の形態の入力装置１においては、ダウ２の入力部と第３の入力部を回転部材５の回転軸の両端に振り分けて配置したので、装置全体の高さを薄型化することができる。
更に、第１、第２、第３の入力部の配線を、共通のコード板４によって行えるので、ケーブルの配線が不要となり、装置の薄型化が可能となる。
【００３０】
このように組み立てられた本発明の第１の実施の形態の入力装置１の操作を、例えばコンピュータ装置等のキーボード装置（図示せず）に組み込んだもので説明する。まず、表示装置１０の表示部１１に表示される移動部材である表示点１１ａの移動方向を矢印Ｙの縦方向としたい場合は、回動部材３を水平方向である矢印ＡまたはＢに回動させる第１の入力より、表示点１１ａから直線状の仮想線１１ｂが表示部１１上に描き出される。
そして、回転部材５を例えば図１に示す水平状態になるまで回動することにより、回動部材３の回動角度に対応して第１の入力部から第１の出力信号が出力されて、図６に示すように、表示点１１ａから延びる仮想線１１ｂが矢印Ｙの縦方向に位置して表示点１１ａの移動方向が決められる。
【００３１】
その後、回転部材５を回転操作することにより、第２の入力が行われて、回転部材５の回転に連動して、その回転量を第２の入力部６から第２の出力信号が出力され、この第２の出力信号を制御部（図示せず）が検出すると、図６に示すように、表示点１１ａを、矢印Ｙの図示縦方向に回転部材５の回転に連動して所望の量移動させて入力することができる。
しかる後、回転操作部５ａを下方向に押し込み操作すると、第３の入力が行われて、この第３の出力信号を制御部が検出すると第１、第２の入力による表示点１１ａが確定する。
そして、仮想線１１ｂは、第３の入力が行われるとソフトウエアー上の処理で自動的に消滅するようになっている。また、第３の入呂奥が行われる前に、第１の入力、または第２の入力をやり直して、所望の方向、移動量の微調整を行うことができる。
尚、第３の入力部を設けずに、第２の入力後、所定時間経過する間に第１または第２の入力がある場合、新たな表示点１１ａの確定を仮想線１１ｂを消滅させるようにしても良い。
【００３２】
また、表示点１１ａを矢印Ｘ方向に移動させる場合は、図１に示す状態にある回動部材３を、水平方向である矢印Ａ方向またはＢ方向に９０度回動させる第１の入力により、表示点１１ａから延びる仮想線１１ｂが矢印Ｘの方向に回転して、移動方向を矢印Ｘ方向に決めることができる。
また、表示点１１ａの移動方向を矢印Ｚの斜め方向としたい場合は、図１に示す状態にある回動部材３を、矢印Ａ方向に略４５度回動させる第１の入力により、表示点１１ａの移動方向が矢印Ｚの斜め方向に決められる。
その後、回転部材５を回転操作することにより、第２の入力が行われて、回転部材５の回転に連動して表示点１１ａを、矢印Ｚの斜め方向に回転部材５の回転に連動して所望の量移動させて入力することができる。
本発明の第１の実施の形態の入力装置１を、表示装置１０の表示部１１に表示される表示点１１ａを移動操作するもので説明したが、例えば車に搭載されてオーディオ装置あるいはナビゲーション等を操作可能なリモコン装置に用いて、回動部材３の回動による第１の入力でメニュウ選択を行い、回転部材５の回転による第２の入力で選択されたメニュウを実行するようにしたものでも良い。
【００３３】
また、本発明の第２の実施の形態の入力装置２１を、例えばパーソナルコンピュータ等のキーボード装置の筐体２２の一部に組み込んで一体化したもので、図７、図８に基づいて説明する。
第２の実施の形態の入力装置２１を用いたキーボード装置の筐体２２は、    下ケース２３と、この下ケース２３の上方に位置する上ケース２４とが、それぞれ樹脂材料で形成されて配設されている。
前記下ケース２３の一部には、所定の幅寸法と深さ寸法でリング状の凹部２３ａが形成され、下ケース２３上に位置する上ケース２４は、円形状の開口部２４ａが形成されて、凹部２３ａ上が開放されている。
【００３４】
また、入力装置２１は、ローラ状の回転操作部２７ａを有する第１の入力部２８と、この第１の入力部２８を囲むように配置された第２の入力部２５とからなる。
【００３５】
そして、第２の入力部２５は、中空状のロータを有する中空エンコーダからなり、その内側に露出した下ケース２３上には、表面が平坦状に形成されて外形が円形状のカバー部材２６が配設され、このカバー部材２６には、横長状の開口部２６ａが貫通形成され、この開口部２６ａに回転部材２７が位置して回転自在になっている。
前記回転部材２７は、ローラ状の回転操作部２７ａを有し、この回転操作部２７ａの一端部側である図示左側が第１の入力部２８に支持され、図示右側が回転支持部２９に支持されて矢印Ｅ、Ｆ方向に回転自在になっている。
【００３６】
前記第１の入力部２８は、第１の実施の形態の入力装置１の第２の入力部６と同じ構成なので詳細な説明は省略する。
また、第２の入力部２５は、図９〜図１１に示すように、合成樹脂製のウエハ２５ａと、このウエハ２５ａに回転自在に装着された合成樹脂製のロータ２５ｂとからなる。前記ロータ２５ｂは、中空円筒状のつまみに、回動部材３０が配設され、この回動部材３０は、カバー部材２６の円形状の外周部と上ケース２４の開口部２４ａの内周部との間の隙間部分に、リング状の回動操作部３０ａが配設されて、ロータ２５ｂを回動操作可能になっている。
そして、回動操作部３０ａを回動操作すると、第２の入力部２５のロータ２５ｂがウエハ２５ａ上を回転部材２７の回転軸芯と平行な水平方向である矢印Ｇ、Ｈ方向に回動するようになっている。
【００３７】
前記第２の入力部２５は、ロータ２５ｂの裏面側に摺動子２５ｃが配設され、中空つまみを回動操作すると、摺動子２５ｃがウエハ２５ｂに形成したコードパターン２５ｄおよび共通パターン２５ｅに摺接するようになっている。
そして、摺動子２５ｃが摺接することにより、ロータ２５ｂの回動に連動して摺動子２５ｃが位相差を持ってコードパターン２５ｄに接離して所定のパルス数（例えば１回転あたり１２パルス）からなる第２の出力信号（図示せず）が出力されるようになっている。
【００３８】
前記出力されるパルス数を制御部（図示せず）で累積加算することにより、回動部材３０の回動量が検出されると共に、コードパターン２５ｄの位相差によって、矢印Ｇ、Ｈの回動方向を検出することが可能になっている。
即ち、第２の入力部２５は、摺動子２５ｃならびにコードパターン２５ｄおよび共通パターン２５ｅ等からなり、回動部材３０の矢印Ｇ、Ｈ方向の水平方向の回動に連動して、その回動量を第２の出力信号として出力可能なインクリメンタル形エンコーダからなっている。
また、本発明の第１の実施の形態の入力装置１の回転部材５におけるカム山６ｇと係合部材６ｈとからなるクリック部材と同様に、回動部材３０にもカム山２５ｆと係合部材２５ｇからなるクリック発生手段が配設されて、回転部材２７を回転操作および回動部材３０を回動操作することにより、それぞれクリック感が発生するようになっており、操作時に回転量あるいは回動量を容易に確認できるようになっている。
【００３９】
前述したようなパーソナルコンピュータ等のキーボード装置（図示せず）に一体化して組み込まれた第２の実施の形態の入力装置２１の操作を説明すると、まず、図６に示すような、移動部材である表示点１１ａを矢印Ｙの縦方向に移動させたい場合は、回動部材３０を水平方向である矢印ＧまたはＨ方向に回動させる第１の入力で、回動部材３０の回動角度に対応して、表示点１１ａから延びる仮想線１１ｂが矢印Ｙの方向に回転する。そして、表示点１１ａの移動方向が、矢印Ｙの縦方向に決められる。
その後、回転部材２７を回転させる第２の入力で、回転部材２７の回転に連動して、表示点１１ａを矢印Ｙの縦方向に所望の量移動させることができる。
【００４０】
また、表示点１１ａを矢印Ｘ方向に移動させる場合は、回動部材３０を水平方向である矢印Ｇ方向に９０度回動させて第１の入力を行って、表示点１１ａの移動方向を矢印Ｘ方向に決め、その後、回転部材２７の回転に連動して、表示点１１ａを矢印Ｘの横方向に所望の量移動させることができる。
また、表示点１１ａの移動方向を矢印Ｚの斜め方向としたい場合は、図６に示す状態にある回動部材３０を矢印Ｇ方向に回動させて、仮想線１１ｂを斜めにして第１の入力を行って、表示点１１ａの移動方向を矢印Ｚの斜め方向に決める。その後、回転部材２７を回転させて第２の入力を行い、表示点１１ａを、矢印Ｚの斜め方向に回転部材２７の回転に連動して移動させて入力することができる。
【００４１】
尚、第１、第２の実施の形態の入力装置１、２１は、表示部１１の指示点１１ａを移動操作するものに限らず、例えば重たい荷物である移動部材を所望の高さに持ち上げて別な場所に移し換えるようなクレーンのリモコン等に搭載して一体化したものでも良い。
前記第１、第２の実施の形態の入力装置１、２１を用いてクレーンを操作するには、まず、回動部材３、３０の回動による第１の入力で移動部材の移動方向を決め、回転部材５、２７の回転による第２の入力で移動方向が決められた移動部材の移動量を決めるようにしたものでも良い。
【００４２】
また、本発明の第３の実施の形態の入力装置４１は、図１２〜図１５に示すように、最下部に樹脂材料からなる支持部材４２が配設され、この支持部材４２は、図９に示すように、中央部に厚肉の基台４２ａが形成され、この基台４２ａの右側からは板状の第１支持部４２ｂが突出形成され、この第１支持部４２ｂには、後述する第２入力部材４３を取付可能な取付孔４２ｃが貫通形成されている。また、支持部材４２は、基台４２ａの略中央部から上方に延びて軸受け部４２ｄが形成され、この軸受け部４２ｄには、略Ｕ字状の溝が形成されて、後述する操作部材４４の第２回転軸４４ｄが、スライド自在且つ回転自在に支持可能になっている。
【００４３】
前記基台４２ａの左側上部には、一対のスライドガイド部４２ｅ、４２ｅが形成されて、後述するスライダー４４をスライド自在に支持可能になっている。
また、基台４２ａには、図示左方向に第２支持部４２ｆが突出形成され、この第２支持部４２ｆに所定の深さと幅寸法の凹部４２ｇが形成されている。
また、第１支持部４２ｂの取付孔４２ｃには、インクリメンタル形エンコーダからなる第２の入力部４３が取付可能になっている。
【００４４】
この第２の入力部４３は、第１の実施の形態の入力装置１の図４、５に示すような第２の入力部６と同じ構成なので説明を省略する。
そして、第２の入力部４３により、回転自在の回転部材４４の回転量が検出されると共に、コードパターンの位相差によって、回転方向を検出することが可能になっている。
即ち、第２の入力部４３は、回転部材４４の矢印Ｊ、Ｋ方向の回転に連動して、その回転量を第２の出力信号として出力可能なインクリメンタル形エンコーダからなっている。
【００４５】
また、回転部材４４は、ローラ状で所定の長さの回転操作部４４ａを有し、この回転操作部４４ａは、指等による操作性を良くするために、外周部がローレット状に形成されて矢印Ｊ、Ｋの両方向に回転操作可能になっている。
前記回転操作部４４ａは、図示右側の一端部から、断面が多角形状に形成された第１回転軸４４ｂが突出形成され、図示左側の他端部からは、回転操作部４４ａより径寸法が小さい円柱状の第２回転軸４４ｃが突出形成されている。
【００４６】
また、第２回転軸４４ｃの先端部には、第２回転軸４４ｃより径寸法が大きい一対のつば部４４ｄ、４４ｄが形成され、この一対のつば部４４ｄ、４４ｄに挟まれた部分に所定の幅寸法の支持溝４４ｅが形成されている。
このような回転部材４４は、第１回転軸４４ｂが第２の入力部４３に、第２回転軸４４ｃが軸受け部４２ｄにそれぞれ支持されて、回転自在および回転軸芯と平行な矢印Ｌ、Ｍ方向にスライド自在になっている。
【００４７】
また、第２回転軸４４ｃの支持溝４４ｅには、支持部材４２のスライドガイド部４２ｅ、４２ｅに支持されたスライダー４５が嵌合支持されている。このスライダー４５は、基部４５ａと腕部４５ｂとからなり、側面視の形状が略Ｌ字状に形成され、基部４５ａ側を支持溝４４ｅに嵌合支持され、腕部４５ｂがスライドガイド部４２ｅ、４２ｅにスライド自在に支持されている。
そして、回転部材４４の矢印Ｌ、Ｍ方向のスライドに連動して、スライダー４５も矢印同方向にスライドするようになっている。
【００４８】
また、スライダー４５は、腕部４５ｂの図示左側の先端部寄りに、円形状の支持孔４５ｃが貫通形成されている。この支持孔４５ｃには、第１の入力部４６の一部である可動部材４７の支持軸４７ａが支持されている。
そして、回転部材４４を矢印Ｊ、Ｍ方向にスライド操作することで、スライダー４５を介して可動部材４７も同方向にスライドするようになっている。
また、可動部材４７の支持軸４７ａの下部には、支持部材４２の凹部４２ｇ内に位置してスライダー４５と共にスライド可能な摺動子受け４７ｂが一体形成されている。そして、摺動子受け４７ｂの下面には、複数の摺動子４８が固着されている。
【００４９】
また、摺動子受け４７ｂの下面と所定の隙間を有して対向する凹部４２ｇの底部には、所定の抵抗値からなる抵抗体パターン４９が形成され、この抵抗体パターン４９に摺動子４８が摺接して、抵抗値が変化するようになっている。
即ち、第１入力部４６は、可動部材４７と摺動子４８と抵抗体パターン４９とからなる可変抵抗器で構成され、回転部材４４の矢印Ｌ、Ｍ方向のスライドに連動して、そのスライド量を第１の出力信号として出力可能になっている。
【００５０】
即ち、第１の出力信号を出力可能な第１の入力部４６と、第２の出力信号を出力可能な第２の入力部４３とがそれぞれ支持部材４２に独立して設けられている。
また、支持部材４２の基台４２ａの上部からは、基台４２ａ内部に配設したドーム状弾性部材４２ｈにより、軸受け部４２ｄが上方に弾性付勢されて、操作つまみ４４ａを押圧することで、ドーム状弾性部材４２ｈが反転して、回転部材４４にクリック感が発生するようになっている。
【００５１】
このような構成の本発明の入力装置４１により、図６に示す表示点１１ａの移動操作を説明すると、まず、移動部材である表示点１１ａの移動方向を矢印Ｙの縦方向としたい場合は、回転部材４４を矢印ＬまたはＭ方向にスライドさせる第１の入力で、回転部材４４のスライド量に対応して、表示点１１ａから延びる仮想線１１ｂが矢印Ｙの縦方向に回転して、表示点１１ａの移動方向が、矢印Ｙの縦方向に決められる。
その後、回転部材４４を回転させる第２の入力で、回転部材４４の回転に連動して、表示点１１ａを矢印Ｙの縦方向に所望の量移動させて入力することができ
【００５２】
また、表示点１１ａを矢印Ｘ方向に移動させる場合は、回転部材４４を矢印Ｍ方向にスライドさせて、表示部材１１上の仮想線１１ｂを矢印Ｘ方向に回転させて、表示点１１ａの移動方向を矢印Ｘ方向に決め、その後、回転部材４４の回転に連動して、表示点１１ａを矢印Ｘの横方向に移動させて入力することができる。
また、表示点１１ａの移動方向を矢印Ｚの斜め方向としたい場合は、回転部材４４を、矢印Ｍ方向にスライドさせて仮想線１１ｂを矢印Ｚの方向に位置合わせして第１の入力を行い、表示点１１ａの移動方向を矢印Ｚの斜め方向に決める。その後、回転部材４４を回転させて第２の入力を行い、表示点１１ａを、矢印Ｚの斜め方向に回転部材４４の回転に連動して移動させて入力することができる。
【００５３】
また、本発明の第３の実施の形態入力装置４１は、表示部材１１上の指示点１１ａを移動操作するものに限らず、第１、第２の実施の形態と同じように、例えば重たい荷物を所望の高さに持ち上げて別な位置に移し換えるクレーンのリモコン等に搭載して一体化し、回転部材４４の回転量に連動して荷物を所望の高さに昇降操作し、回転部材４４のスライド量に連動して、所望の高さに昇降させた荷物を所望の位置に移し換えるようにしたものでも良い。
本発明の実施の形態の説明では、第１の入力を先に行い、第２の入力を後から行うことで説明したが、第１、第２の入力はどちらが先でもかまわない。
【００５４】
【発明の効果】
以上述べたように本発明は、第１の入力により移動部材の移動方向を決めることができる第１の入力部と、第２の入力により移動部材の移動量を決めることができる第２の入力部とがそれぞれ独立して設けられているので、第１の入力により任意の斜め方向にも移動部材の移動方向を決めることができ、操作性の良い入力装置を提供できる。
【００５５】
また、移動部材は表示部上に表示された表示点からなり、第１の入力部で前記表示点の移動方向を決めると共に第２の入力部で表示点の移動量を決めるようにしたので、パーソナルコンピュータ等の表示部材（ディスプレー）に表示される表示点を任意の方向に移動させて入力することができる。
【００５６】
また、第１の入力部は、水平方向に回動自在の回動部材に配設され、この回動部材の回動角度に対応して第１の出力信号を出力可能とし、第２の入力部は、回転自在の回転部材に配設され、この回転部材の回転に連動して、その回転量を第２の出力信号として出力可能としたので、表示点の移動操作だけでなく大量にメニューのなから所望のメニューを素早く選択してすることができ、多用途に使用することができる。
【００５７】
また、回転部材は、回動部材に搭載されて回動部材の回動操作に伴って回動可能としたので、回動部材を回動させることにより、回転部材の向きを表示点を移動させたい方向に位置合わせすることができ、操作性が良い。
【００５８】
また、回転部材は、回動部材の回動方向と直交する方向の垂直方向に押し込み操作可能に回動部材に保持され、押し込み操作で第３の入力が可能な第３の入力部を回動部材に配設したので、第１、第２の入力で入力されたことを第３の入力で確実に決定することができる。
【００５９】
また、回動部材は、形状がリング状に形成されて内部に中空部を有し、この中空部に回動部材と独立して回転部材を配設したので、回動部材と回転部材とが同時に操作されることがなく、後入力等の弊害を防止できる。
【００６０】
また、回転部材は、回転軸芯方向にスライド自在に配設され、回転部材のスライド量に対応して第１の入力部が第１の出力信号を出力可能とすると共に、回転部材の回転に連動して第２の入力部が第２の出力信号を出力可能としたので、回転部材のスライド操作と回転操作とで第１、第２入力ができる更に操作に優れた入力装置を提供できる。
【図面の簡単な説明】
【図１】本発明の第１の実施の形態の入力装置の上面図である。
【図２】図１の要部断面図である。
【図３】図１の要部断面図ある。
【図４】発明に係わる第１入力部材を説明する図である。
【図５】本発明に係わる第１入力部材を説明する図である。
【図６】本発明の入力装置の操作を説明する表示装置の概略図である。
【図７】本発明の第２の実施の形態の入力装置の上面図である。
【図８】図７の８−８断面図ある。
【図９】本発明の第２の実施の形態に係わる第２の入力部を説明する図である。
【図１０】本発明の第２の実施の形態に係わる第２の入力部を説明する図である。
【図１１】本発明の第２の実施の形態に係わる第２の入力部を説明する図である。
【図１２】本発明の第３の実施の形態の入力装置の上面図である。
【図１３】図９の正面図である。
【図１４】図９の左側面図である。
【図１５】図９の斜視図である。
【図１６】従来の入力装置の要部拡大断面図である。
【図１７】従来の入力装置を用いた携帯電話機を説明する斜視図である。
【符号の説明】
１  本発明の第１の実施の形態の入録装置
２  ケース
３  回動部材
３ａ  ローラ保持溝
３ｂ  開口部
３ｃ  つば部
３ｅ  回動操作部
４  コード板
５  操作部材
５ａ  操作部
５ｂ  第１回動軸
５ｃ  第２回動軸
６  第１の入力部
７  第３の入力部
８  基台
９  摺動子
２１  本発明の第２の実施の形態の入録装置
４１  本発明の第３の実施の形態の入録装置
【図１】
2004334291.tif 000003
【図２】
2004334291.tif 000004
【図３】
2004334291.tif 000005
【図４】
2004334291.tif 000006
【図５】
2004334291.tif 000007
【図６】
2004334291.tif 000008
【図７】
2004334291.tif 000009
【図８】
2004334291.tif 000010
【図９】
2004334291.tif 000011
【図１０】
2004334291.tif 000012
【図１１】
2004334291.tif 000013
【図１２】
2004334291.tif 000014
【図１３】
2004334291.tif 000015
【図１４】
2004334291.tif 000016
【図１５】
2004334291.tif 000017
【図１６】
2004334291.tif 000018
【図１７】
2004334291.tif 000019